(57)【要約】【課題】ポンプゲート据付工事の工期短縮を図る。【解決手段】ゲート扉体４の昇降をガイドするローラガイド３と、ゲート昇降機構取付フレーム１７とを連結部材１８で連結して１つのユニットとする。該ユニットを工場で製作し、現地へ搬入して水路１の基礎２に埋設させる。ポンプ６を一体的に取り付けるゲート扉体４に、ゲート昇降駆動装置としてのモータ２０を取り付ける。ゲート昇降機構取付フレーム１７のラック取付部１７ｂにラック２３を取り付け、モータ２０の出力軸２１に装着したピニオン２２をラック２３に噛合させて昇降できるようにする。ユニットとしたローラガイド３とゲート昇降機構取付フレーム１７を埋設した後、ローラガイド３にゲート扉体４を組み付けることによりポンプゲートの据付けができ、工期短縮が図れる。【選択図】　　　　図１
2004092147.tif 000002
【特許請求の範囲】
【請求項１】
昇降により水路を開閉するゲート扉体にポンプを取り付けて、水路の一方の側から他方の側へ水を排出させるようにしてあるポンプゲートにおいて、ゲート扉体の昇降をガイドするローラガイドと、ゲート昇降用の昇降機構取付フレームとを一体に連結したユニット構成として設置できるようにしたことを特徴とするポンプゲート。
【請求項２】
昇降駆動装置をゲート扉体に取り付け、昇降機構取付フレームに沿いゲート扉体を昇降させるようにする請求項１記載のポンプゲート。
【請求項３】
ゲート扉体の昇降機構取付フレームにラックを取り付け、昇降駆動装置に装着させたピニオンを上記ラックに噛合させて、ゲート扉体を昇降機構取付フレームに沿い昇降させるようにした請求項２記載のポンプゲート。
【発明の詳細な説明】
【０００１】
【発明の属する技術分野】
本発明は水路下流側が増水して水路上流側へ逆流するのを防止するため水路を閉じるゲート扉体に、水路上流側の水を水路下流側へ強制的に排出するポンプを一体的に取り付けてなるポンプゲートに関するものである。
【０００２】
【従来の技術】
たとえば、河川につながっている雨水排水路や農業用水路の如き比較的小規模な水路には、河川への排水量を調節するために、通常排水ゲートが設置されているが、台風や集中豪雨時には、河川及び水路が一時的に増水して水位が急激に上昇するため、排水ゲートを全開にしても水路の水を河川側へ充分に排出できなくなる場合があり、又、河川から水路に逆流して水路から水が溢れて周囲が冠水するというおそれがある。
【０００３】
そのため、ゲート扉体にポンプを一体的に取り付けた構成のポンプゲートを、水路の途中位置に開閉可能に設置し、河川が増水したとき、ポンプゲートを閉じることによって河川の水が水路へ逆流するのを防止すると共に、水路の水をポンプによって強制的に河川側へ排出させるようにすることが行われている。
【０００４】
従来のポンプゲートは、図３に一例を示す如く、水路１の両側壁を構成する基礎２に、ローラガイド３を相対向させて埋設させ、上下両端部の左右両側部にローラ５を有するローラゲート扉体としてのゲート扉体４に横軸のポンプ６を一体的に取り付けてなるポンプゲート本体７を、上記各ローラ５をローラガイド３に係合させることにより、該ローラガイド３に沿い自在に昇降できるようにし、且つ上記ローラガイド３の位置に合わせて上下方向に延びる支柱８を、基礎２に固定して、該支柱８の頂部に操作台９の架設建設を行い、上記ローラガイド３に沿って昇降するポンプゲート本体７の位置に合わせてその上方位置に操作台９を位置させ、更に、ゲート昇降機１４を構成するラック棒１０、昇降駆動装置１２のうち、ラック棒１０を、ポンプゲート本体７の位置に合わせて操作台９に設けた孔１１に上下方向に貫通させて配置して、該ラック棒１０を直立状態に支持させると共に、ラック棒１０の下端部をゲート扉体４の上端部に、水平状態の支持アーム１３を介して連結し、操作台９上に設置した昇降駆動装置１２のピニオン１５をラック棒１０のラックに噛合させ、該昇降駆動装置１２を駆動することによりラック棒１０を介してゲート扉体４を昇降させるようにしてある。
【０００５】
図中１６は水路１の底部に設置した戸当り金物である。
【０００６】
【発明が解決しようとする課題】
ところが、上記従来のローラゲートでは、ローラガイド３を左右別々に基礎２に埋め込む工事を行うと共に、水路１に沿い戸当り金物１６の設置を行い、更に、操作台９の建設に伴う支柱８の設置、操作台９の建設後にポンプゲート本体７の位置に合わせてゲート昇降機１４の設置を行い、操作台９上の昇降駆動装置１２によりゲート扉体４を昇降させるようにするものであるため、次の如き種々の問題がある。
【０００７】
▲１▼現場での建設は、ローラガイド３の埋設、支柱８を介しての操作台９の建設、ポンプゲート本体７位置に合わせたゲート昇降機１４の設置の順で施工されているので、各工程の完成待ちとなり、工期短縮が難しい。
▲２▼操作台９の建設では、ローラガイド３の位置に合わせた支柱８の設置となり、又、ローラガイド３と戸当り金物１６の位置合わせもあり、これらの合わせ作業が生じる。
▲３▼上記▲１▼▲２▼からポンプゲートの設置工期の短縮、コスト低減が困難である。
▲４▼操作台９は高所位置に建設されるため、建設が高所作業となると共に美観を損うおそれがある。
【０００８】
そこで、本発明は、上記の如き問題点を解消したポンプゲートを提供しようとするものである。
【０００９】
【課題を解決するための手段】
本発明は、上記課題を解決するために、昇降により水路を開閉するゲート扉体にポンプを取り付けて、水路の一方の側から他方の側へ水を排出させるようにしてあるポンプゲートにおいて、ゲート扉体の昇降をガイドするローラガイドと、ゲート昇降用の昇降機構取付フレームとを一体に連結したユニット構成として設置できるようにする。
【００１０】
ローラガイドと昇降機構取付フレームを工場でユニットとして製作して現地で埋設工事を行うので、両者の位置合わせを現地工事として行う必要がなく、又、相互の建設待ちもなくなる。
【００１１】
又、昇降駆動装置をゲート扉体に取り付け、昇降機構取付フレームに沿いゲート扉体を昇降させるようにすることにより、従来の如き高所への操作台を不要にすることができて、その建設に要する時間とコストを削減することができると共に、昇降駆動装置をゲート扉体が備えていることから、ゲート扉体のローラガイドへの取り付け、取り外しにより同時に昇降駆動装置の装着、取り外しができることになり、保守が簡易にできる。
【００１２】
更に、ゲート扉体の昇降機構取付フレームにラックを取り付け、昇降駆動装置に装着させたピニオンを上記ラックに噛合させて、ゲート扉体を昇降機構取付フレームに沿い昇降させるようにすることにより、昇降機構取付フレームを利用した昇降が確実に行える。
【００１３】
【発明の実施の形態】
以下、本発明の実施の形態を図面を参照して説明する。
【００１４】
図１及び図２は本発明の実施の一形態を示すもので、図３に示した従来のポンプゲートの場合と同様に、水路１の途中位置にゲート扉体４を昇降して開閉できるように設置して、河川１ｂ側の水位が上昇したときに、水路１の上流側１ａへの逆流を防止し且つ水路１の上流側１ａから流れて来る水を河川１ｂ側へポンプ６で排出できるようにしてある構成において、ゲート扉体４に昇降駆動装置を装備させると共に、昇降機構取付フレーム１７とローラガイド３と戸当り金物１６をユニット化したものである。
【００１５】
すなわち、水路１の両側壁を構成する基礎２に埋め込む左右のローラガイド３と、該ローラガイド３より所要間隔離れた位置の上記基礎２に埋め込んで固定するため埋込部１７ａとラック取付部１７ｂとを有する、左右の昇降機構取付フレーム１７とを、左右別々に連結部材１８で一体的に連結してローラガイドユニット１９を構成し、更に、上記左右のローラガイド３と、水路１に設置する戸当り金物１６の底部とを一体的に連結し、これらローラガイド３、昇降機構取付フレーム１７、戸当り金物１６を一体にしてなるユニットを工場で製作するようにする。
【００１６】
又、上記ローラガイド３に係合させるローラ５を上下両端部と左右両側部に有するローラゲート扉体の如きゲート扉体４に横型のポンプ６を一体的に取り付けてなるポンプゲート本体７を構成し、該ポンプゲート本体７におけるゲート扉体４の上端部のポンプ取付側の左右両端部に、昇降駆動装置としてのモータ２０をそれぞれ水平状態に取付けて支持させ、該各モータ２０の出力軸２１を外側に向けて、該出力軸２１にピニオン２２を取り付け、一方、上記ユニットとして製作する昇降機構取付フレーム１７のラック取付部１７ｂに、上記ピニオン２２を噛合させるための昇降機構としてのラック２３を上下方向に取り付け、ローラガイド３と昇降機構取付フレーム１７からなる左右のローラガイドユニット１９に戸当り金物１６を連結してなるものを、水路１の左右の基礎２に埋め込んで据え付けた後に、ポンプゲート本体７をセットして、昇降機構取付フレーム１７に取り付けたラック２３にモータ２０の出力軸２１のピニオン２２を噛合させることにより組付け、モータ２０の駆動でゲート扉体４がラック２３に沿い昇降できるようにする。
【００１７】
工場において、予めポンプゲート設置位置の水路１に合わせた寸法設計で左右のローラガイドユニット１９と、水路の幅に合わせた長さの戸当り金物１６を製作する。この際、昇降機構取付フレーム１７は、埋込部１７ａの前面の上方位置に、ラック取付部１７ｂを突出させて取り付けるようにし、該ラック取付部１７ｂのローラガイド３側の面に昇降機構としてのラック２３を上下方向に取り付けるようにする。
【００１８】
本発明のポンプゲートの設置に際しては、工場で予め製作したローラガイド３、昇降機構取付フレーム１７、戸当り金物１６を一体にしてなるユニットを、水路１の据付け位置まで搬送する。現地では、上記工場から現地まで搬入されたユニットとしてのローラガイド３と昇降機構取付フレーム１７の埋込部１７ａと戸当り金物１６を、水路１の基礎２に一体として埋込む作業を行って基礎２に固定し、しかる後、モータ２０を搭載し且つポンプ６を取り付けたゲート扉体４を、ローラガイド３に沿って昇降できるように組み付け、且つモータ２０の出力軸２１のピニオン２２を、昇降機構取付フレーム１７のラック取付部１７ｂに取り付けられたラック２３に噛合させるようにする。
【００１９】
本発明のローラゲートにおいては、ゲート扉体４にモータ２０を直接取り付けて、該モータ２０により昇降できるようにしてあるので、従来の如き高所に昇降機設置用の操作台を設けることなく昇降させることができて、昇降駆動装置としてのモータ２０を搭載したままローラガイド３への装着、取外しを任意に行うことが可能となり、又、ローラガイド３と昇降機構取付フレーム１７の埋込部１７ａは、連結部材１８で一体に連結されて１つのユニットとしてあるため、建設工事時における位置合わせ作業や、相互の建設待ちをなくすことができて工期の短縮化を図ることができる。更に、ゲート扉体４に取り付けるモータ２０の出力軸２１に装着するピニオン２２の位置と、基礎２に埋め込まれて固定される昇降機構取付フレーム１７のラック取付部１７ｂに取り付けられているラック２３との位置関係は、調整されているので、ポンプゲート本体７に合わせたゲート昇降機の設置を行っていた従来の位置合せ作業を省略することもできる。
【００２０】
なお、上記実施の形態では、昇降駆動装置としてモータ２０を用いた場合を例示したが、モータ２０は一例であってこれに限定されるものではなく油圧、エンジン等の如き他の駆動源も適用できること、又、ポンプ６は横軸のものを示したが、立軸式のポンプを適用するようにしてもよいこと、ゲート扉体４の下流側にポンプ６を取り付けて、ポンプ出口部に逆流防止用のフラップ弁２４を設けた川表タイプのものを例示したが、ゲート扉体４の上流側にポンプ６を取り付けて、ポンプの吸込口からポンプ６内に吸い込まれた水を下流側へ排出させるようにする川裏タイプについても適用できること、その他本発明の要旨を逸脱しない範囲内で種々変更を加え得ることは勿論である。
【００２１】
【発明の効果】
以上述べた如く、本発明のポンプゲートによれば、次の如き優れた効果を奏し得る。
（１）昇降により水路を開閉するゲート扉体にポンプを取り付けて、水路の一方の側から他方の側へ水を排出させるようにしてあるポンプゲートにおいて、ゲート扉体の昇降をガイドするローラガイドと、ゲート昇降用の昇降機構取付フレームとを一体に連結したユニット構成として設置できるようにしてあるので、現地作業はユニット化されたローラガイドとゲート昇降用フレームを基礎に埋め込む作業だけですみ、両者の合わせ作業や相互の建設待ちを削除できる。
（２）昇降駆動装置をゲート扉体に取り付け、昇降機構取付フレームに沿いゲート扉体を昇降させるようにすることにより、従来要していた高所への操作台の建設を省略できて、操作台建設に要していた多くの時間とコストを削減することができると共に、ゲート扉体のローラガイドへの組付け、取外しにより同時に昇降駆動装置の装着、取外しができて、保守が簡易になる。
（３）ゲート扉体の昇降機構取付フレームにラックを取り付け、昇降駆動装置に装着させたピニオンを上記ラックに噛合させて、ゲート扉体を昇降機構取付フレームに沿い昇降させるようにすることにより、昇降機構取付フレームに取り付けたラックに沿い昇降できる機構を容易に実現できる。
【図面の簡単な説明】
【図１】本発明のポンプゲートの実施の一形態の概要を示す平面図である。
【図２】図１に示した本発明のポンプゲートの概略側面図である。
【図３】従来のポンプゲートの一例を示す概略側面図である。
【符号の説明】
１　水路
２　基礎
３　ローラガイド
４　ゲート扉体
６　ポンプ
１７　昇降機構取付フレーム
１７ａ　埋込部
１７ｂ　ラック取付部
１８　連結部材
１９　ローラガイドユニット
２０　モータ（昇降駆動装置）
２２　ピニオン
２３　ラック（昇降機構）
【図１】
2004092147.tif 000003
【図２】
2004092147.tif 000004
【図３】
2004092147.tif 000005